(57)【特許請求の範囲】
【請求項１】
送信側ファクシミリ装置と電話回線を介して接続された送信側ゲートウェイ装置と、
前記送信側ゲートウェイ装置と電話回線とは異なるパケット通信網を介して接続された受信側ゲートウェイ装置と、
前記受信側ゲートウェイ装置と電話回線を介して接続された受信側ファクシミリ装置とを備えるファクシミリ通信システムであって、
前記送信側ゲートウェイ装置は、
前記送信側ファクシミリ装置から受信した画データを蓄積し、かつ前記受信側ゲートウェイ装置への前記画データの送信を開始する画データ蓄積・送信手段と、
前記画データの送信完了前に前記送信側ファクシミリ装置から手続終了通知を受けると前記送信側ファクシミリ装置へリアルタイム通信から蓄積通信への移行を通知する蓄積通信移行通知手段とを備え、
前記送信側ファクシミリ装置は、前記手続終了通知を送信後に前記蓄積通信への移行通知を受けると前記送信側ゲートウェイ装置との間の前記電話回線を切断する切断制御手段を有する、
ことを特徴とするファクシミリ通信システム。
【請求項２】
請求項１に記載のファクシミリ通信システムにおいて、
前記送信側ファクシミリ装置は、
前記電話回線の切断時に送信終了の確認通知を要求する旨の付加情報付き切断命令（ＤＣＮ）信号を前記送信側ゲートウェイ装置に送信する確認通知要求手段を備え、
前記送信側ゲートウェイ装置は、
前記切断命令信号を受けると、前記画データの送信完了後に、前記送信終了の確認通知を付加した付加情報付き非標準機能設定（ＮＳＳ）信号を前記送信側ファクシミリ装置に返送する確認通知伝達手段を備えることを特徴とするファクシミリ通信システム。
【請求項３】
請求項１又は請求項２に記載のファクシミリ通信システムにおいて、
前記送信側ファクシミリ装置の前記確認通知要求手段は前記切断命令信号に前記確認通知を受信するまでの有効期限を書き込み、
前記送信側ゲートウェイ装置は、前記画データの送信完了前に前記有効期限になると前記送信側ファクシミリ装置にタイムアウト通知を行い、前記有効期限内に画データの送信が完了すると、前記確認通知を付加した付加情報付き非標準機能設定（ＮＳＳ）信号を前記送信側ファクシミリ装置に返送する確認通知伝達手段を備えることを特徴とするファクシミリ通信システム。
【請求項４】
送信側ファクシミリ装置と電話回線を介して接続された送信側ゲートウェイ装置と、
前記送信側ゲートウェイ装置と電話回線とは異なるパケット通信網を介して接続された受信側ゲートウェイ装置と、
前記受信側ゲートウェイ装置と電話回線を介して接続された受信側ファクシミリ装置とを備え、
前記受信側ゲートウェイ装置は、
前記送信側ゲートウェイ装置から送信される画データを蓄積する画データ蓄積手段と、
前記パケット通信網における通信状況に基づき、前記画データ蓄積手段に蓄積する画データの蓄積量を算出する蓄積データ量算出手段と、
前記画データ蓄積手段に蓄積された画データの蓄積量を監視する蓄積データ監視手段と、
前記蓄積データ監視手段で監視した蓄積量が前記蓄積データ量算出手段で算出された蓄積量を越えたとき、前記受信側ファクシミリ装置へ前記画データ蓄積手段に蓄積された画データの送信を開始する画データ送信手段とを含むファクシミリ通信システムであって、
前記受信側ゲートウェイ装置は、前記送信側ゲートウェイ装置からディジタル命令（ＤＣＳ）信号を受け入れたとき前記受信側ファクシミリ装置へこのディジタル命令（ＤＣＳ）信号を転送し、前記受信側ファクシミリ装置から受信準備確認（ＣＦＲ）信号を受け入れる前に、前記送信側ゲートウェイ装置に前記受信準備確認（ＣＦＲ）信号を返送して前記送信側ゲートウェイ装置から画データの受け入れを開始することを特徴とするファクシミリ通信システム。
【発明の詳細な説明】
【０００１】
【発明の属する技術分野】
本発明は、パケット通信網等、電話網とは異種の通信網を経由してファクシミリ通信を実行するためのファクシミリ通信システムに関する。
【０００２】
【従来の技術】
公衆電話網に接続されるファクシミリ装置の通信手順は、ＩＴＵ−Ｔ（International Telecomunication Union-Telecomunication Standardization Sector；国際電気通信連合−電気通信標準化部門）勧告Ｔ．３０に規定されている。この通信手順では、呼が設定された後、所定の制御信号を順次交換しつつ、画データが送受される。ファクシミリ装置では、通信が正常に実行されているかどうかを確認するため、信号を送信した後、この信号に対する有効な信号が一定時間内に受信されたかどうかが監視される。有効な信号が一定時間内に受信されないときには、前に送信した信号が再送される。再送を一定回数繰り返しても、有効な信号が受信されないときには、通信障害が発生したと判断され、通信が強制的に中止される。
【０００３】
近年、インターネットの急速な普及に伴い、インターネットを経由してファクシミリ通信を実現する通信手順が提案されている。ファクシミリ装置は、電話網に接続される。また、電話網は、インターネットを構成するパケット通信網とゲートウェイ装置を介して接続される。
一方のファクシミリ装置は、電話網を介して一方のゲートウェイ装置に接続される。他方のファクシミリ装置は、電話網を介して他方のゲートウェイ装置に接続される。２つのゲートウェイ装置の間は、パケット通信網により接続され、ＩＴＵ−Ｔ勧告Ｔ．３８に規定される通信手順に従って行われる。
【０００４】
【発明が解決しようとする課題】
ところで、上記のような従来の技術には、次のような解決すべき課題があった。
パケット通信網は、一定の帯域で多数の通信を行うため、トラフィック量が増大すると、局所的に大きな通信遅延が発生することがある。ファクシミリ通信が行われているときにも、ゲートウェイ装置間で著しい通信遅延が発生しうる。ゲートウェイ装置間で通信遅延が生じると、生じた通信遅延が、そのままファクシミリ装置とゲートウェイ装置とを接続する電話網にも伝わることになる。ＩＴＵ−Ｔ勧告Ｔ．３０に規定される通信手順によれば、一定量以上の通信遅延が生じると通信障害が発生したと判断され、ファクシミリ通信が強制的に中止されてしまうという解決すべき課題が残されていた。
【０００６】
【課題を解決するための手段】
本発明は以上の点を解決するため次の構成を採用する。
〈構成１〉
送信側ファクシミリ装置と電話回線を介して接続された送信側ゲートウェイ装置と、上記送信側ゲートウェイ装置と電話回線とは異なるパケット通信網を介して接続された受信側ゲートウェイ装置と、上記受信側ゲートウェイ装置と電話回線を介して接続された受信側ファクシミリ装置とを備えるファクシミリ通信システムであって、上記送信側ゲートウェイ装置は、上記送信側ファクシミリ装置から受信した画データを蓄積し、かつ上記受信側ゲートウェイ装置への上記画データの送信を開始する画データ蓄積・送信手段と、上記画データの送信完了前に上記送信側ファクシミリ装置から手続終了通知を受けると上記送信側ファクシミリ装置へリアルタイム通信から蓄積通信への移行を通知する蓄積通信移行通知手段とを備え、上記送信側ファクシミリ装置は、上記手続終了通知を送信後に上記蓄積通信への移行通知を受けると上記送信側ゲートウェイ装置との間の上記電話回線を切断する切断制御手段を有することを特徴とするファクシミリ通信システム。
【０００７】
〈構成２〉
構成１に記載のファクシミリ通信システムにおいて、上記送信側ファクシミリ装置は、上記電話回線の切断時に送信終了の確認通知を要求する旨の付加情報付き切断命令（ＤＣＮ）信号を上記送信側ゲートウェイ装置に送信する確認通知要求手段を備え、上記送信側ゲートウェイ装置は、上記切断命令信号を受けると、上記画データの送信完了後に、上記送信終了の確認通知を付加した付加情報付き非標準機能設定（ＮＳＳ）信号を上記送信側ファクシミリ装置に返送する確認通知伝達手段を備えることを特徴とするファクシミリ通信システム。
【０００８】
〈構成３〉
構成１又は２に記載のファクシミリ通信システムにおいて、上記送信側ファクシミリ装置の上記確認通知要求手段は上記切断命令信号に上記確認通知を受信するまでの有効期限を書き込み、上記送信側ゲートウェイ装置は、上記画データの送信完了前に上記有効期限になると上記送信側ファクシミリ装置にタイムアウト通知を行い、上記有効期限内に画データの送信が完了すると、上記確認通知を付加した付加情報付き非標準機能設定（ＮＳＳ）信号を上記送信側ファクシミリ装置に返送する確認通知伝達手段を備えることを特徴とするファクシミリ通信システム。
【０００９】
〈構成４〉
送信側ファクシミリ装置と電話回線を介して接続された送信側ゲートウェイ装置と、上記送信側ゲートウェイ装置と電話回線とは異なるパケット通信網を介して接続された受信側ゲートウェイ装置と、上記受信側ゲートウェイ装置と電話回線を介して接続された受信側ファクシミリ装置とを備え、上記受信側ゲートウェイ装置は、上記送信側ゲートウェイ装置から送信される画データを蓄積する画データ蓄積手段と、上記パケット通信網における通信状況に基づき、上記画データ蓄積手段に蓄積する画データの蓄積量を算出する蓄積データ量算出手段と、上記画データ蓄積手段に蓄積された画データの蓄積量を監視する蓄積データ監視手段と、上記蓄積データ監視手段で監視した蓄積量が上記蓄積データ量算出手段で算出された蓄積量を越えたとき、上記受信側ファクシミリ装置へ上記画データ蓄積手段に蓄積された画データの送信を開始する画データ送信手段とを含むファクシミリ通信システムであって、上記受信側ゲートウェイ装置は、上記送信側ゲートウェイ装置からディジタル命令（ＤＣＳ）信号を受け入れたとき上記受信側ファクシミリ装置へこのディジタル命令（ＤＣＳ）信号を転送し、上記受信側ファクシミリ装置から受信準備確認（ＣＦＲ）信号を受け入れる前に、上記送信側ゲートウェイ装置に上記受信準備確認（ＣＦＲ）信号を返送して上記送信側ゲートウェイ装置から画データの受け入れを開始することを特徴とするファクシミリ通信システム。
【００１０】
【発明の実施の形態】
以下、本発明の実施の形態を具体例を用いて説明する。
〈具体例１の構成〉
図１は、具体例１の通信手順説明図（その１）である。
図２は、具体例１の通信手順説明図（その２）である。
この図は具体例１によるファクシミリ通信システムの特徴ある通信手順を表す図である。この図について説明する前に本具体例のシステム構成について図を用いて説明する。
【００１１】
図３は、本発明によるファクシミリ通信システムの全体構成図である。
図に示すように、ファクシミリ装置１１１は、電話回線３１０を介してゲートウェイ装置２１１に接続されている。ゲートウェイ装置２１１は、パケット通信網４００に接続されている。一方、ファクシミリ装置１２１は、電話回線３２０を介してゲートウェイ装置２２１に接続されている。ゲートウェイ装置２２１は、パケット通信網４００に接続されている。パケット通信網４００は、例えばインターネットにより構成されている。
【００１２】
ファクシミリ装置１１１は、ファクシミリ装置１２１との間でファクシミリ通信を行うときは、パケット通信網４００を経由してファクシミリ通信を実行する。ファクシミリ装置１１１とゲートウェイ装置２１１との間、及びファクシミリ装置１２１とゲートウェイ装置２２１との間では、ＩＴＵ−Ｔ勧告Ｔ．３０に規定される通信手順に従ってファクシミリ通信が行われる。ゲートウェイ装置２１１とゲートウェイ装置２２１との間では、ＩＴＵ−Ｔ勧告Ｔ．３８に規定される通信手順に従ってファクシミリ通信が行われる。
【００１３】
ファクシミリ装置１１１及び１２１は、同様の構成であり、ゲートウェイ装置２１１及び２２１は、同様の構成であるので、以下に、ファクシミリ装置１１１及びゲートウェイ装置２１１について説明する。最初にファクシミリ装置１１１について説明する。
図４は、ファクシミリ装置の構成を示すブロック図である。
図よりファクシミリ装置１１１（及び１２１）は、ＣＰＵ１と、ＲＯＭ２と、バス３と、ＲＡＭ４と、モデム・ＮＣＵインタフェース５と、画像圧縮復元部６と、ラインメモリ７と、画像処理部８と、機器インタフェース９と、モデム１０と、ＮＣＵ１１と、プリンタ１２と、スキャナ１３と、機構制御部１４と、操作表示部１５と、を備える。
【００１４】
ＣＰＵ１は、装置全体を制御するものであり、画データの流れの管理、通信制御、網制御等を総括的に制御する機能を有する中央演算処理装置である。ＣＰＵ１は、バス３を介してＲＯＭ２、ＲＡＭ４、モデム・ＮＣＵインタフェース５、画像圧縮復元部６、ラインメモリ７、画像処理部８、機器インタフェース９と接続されている。
ＲＯＭ２は、ＣＰＵ１により実行される制御プログラム及び制御データを蓄積する部分である。ＲＯＭ２は、ファクシミリ通信手順を実行するための制御プログラム及び制御データも蓄積する部分である。
【００１５】
バス３は、装置を構成する各部分が共有するディジタル信号伝送路である。
ＲＡＭ４は、送受される画データを一時的に蓄積し、画データの送受信バッファの機能を有する部分である。
モデム・ＮＣＵインタフェース５は、モデム１０及びＮＣＵ１１をバス３へ接続するインタフェース部分である。
画像圧縮復元部６は、送信される画データを符号化して圧縮すると共に受信される圧縮データを復元化する部分である。
【００１６】
ラインメモリ７は、送受信される画データを一時的に蓄積する部分である。
画像処理部８は、プリンタ１２、スキャナ１３、バス３と接続されており、バス３から受け入れたデータを所定の画像処理してプリンタ１２へ出力し、スキャナ１３から受け入れたデータを所定の画像処理してバス３へ送信する部分である。
機器インタフェース９は、機構制御部１４と操作表示部１５をバス３へ接続するためのインタフェース部分である。
モデム１０は、送信信号の変調及び受信信号の復調を行うものであり、ＩＴＵ−Ｔ勧告Ｖ．１７及びＶ．３４等に準拠する機能をサポートする部分である。
【００１７】
ＮＣＵ（Network Control Unit）１１は、相手方ファクシミリ装置との接続及び切断を制御する部分である。
プリンタ１２は、画像処理部８から受け入れた画データを記録紙１７上に再現する部分である。
スキャナ１３は、送信原稿１６上の画像を読み取ってイメージデータを生成する部分である。
【００１８】
機構制御部１４は、装置各部を駆動するドライバや、センサ類を制御する部分である。
操作表示部１５は、操作情報及び設定情報を入力すると共にこれらの情報や装置の状態情報を表示する部分であり、ダイヤル番号操作キー、液晶パネル、等から構成される。
【００１９】
以上説明したファクシミリ装置１１１及び１２１は、画データを送信する場合、送信原稿１６がセットされ、操作表示部１５によって送信操作が行われると、まず、スキャナ１３によって送信原稿１６上の画像が読み取られ、イメージデータとして画像処理部８へ送られる。画像処理部８で所定の画像処理が行われ画データとなって一旦ラインメモリ７に蓄積される。次いで画データは、画像圧縮復元部６によってラインメモリ７から読み出され圧縮され、バス３を介してＲＡＭ４に蓄積される。次いで画データは読み出されてバス３を介してモデム・ＮＣＵインタフェース５転送される。次いで、画データは、モデム１０に転送されて変調され、ＮＣＵ１７を介して電話回線３１０へ送信される。
【００２０】
ファクシミリ装置１１１及び１２１は、画データを受信する場合、電話回線３１０からＮＣＵ１１に画データが受信されると、受信された画データは、モデム１０で復調される。次いで、画データは、モデム・ＮＣＵインタフェース５を介してバス３に出力されＲＡＭ４に蓄積される。次いで、画データは、ＲＡＭ４から読み出され、バス３を介して画像圧縮復元部６へ転送される。画データは、画像圧縮復元部６によって復元され、ラインメモリ７を介して画像処理部８へ転送される。次いで、画データは、画像処理部８によって所定の画像処理が施されプリンタ１２へ転送され記録紙１７上に再現される。
【００２１】
以上の動作中に各種の制御信号は、ＣＰＵ１によってＲＯＭ２から読み出され、バス３を介してモデム・ＮＣＵインタフェース５へ転送される。次いで、制御信号は、モデム１０に転送されて変調され、ＮＣＵ１１を介して電話回線３１０に送信される。
電話回線３１０からＮＣＵ１１に制御信号が受信されると、受信された制御信号は、モデム・ＮＣＵインタフェース５を介してバス３へ出力され、ＣＰＵ１へ転送される。ＣＰＵ１では、制御信号が解析され、解析された内容に応じて通信手順が進められる。
以上でファクシミリ装置の説明を終了して次にゲートウェイ装置２１１及び２２１について説明する。
【００２２】
図５は、ゲートウェイ装置の構成を示すブロック図である。
ゲートウェイ装置２１１及び２２１は、ＣＰＵ２１と、ＲＯＭ２２と、バス２３と、ＲＡＭ２４と、モデム・ＮＣＵインタフェース２５と、画像圧縮復元部２６と、ラインメモリ２７と、ＬＡＮインタフェース２８と、モデム２９と、ＮＣＵ３０と、ＬＣＵ３１とを備える。
【００２３】
ＣＰＵ２１は、装置全体を制御するものであり、画データの流れの管理、通信制御、網制御等を総括的に制御する機能を有する中央演算処理装置である。ＣＰＵ２１は、バス２３を介してＲＯＭ２２、ＲＡＭ２４、モデム・ＮＣＵインタフェース２５、画像圧縮復元部２６、ラインメモリ２７、ＬＡＮインタフェース２８と接続されている。
ＲＯＭ２２は、ＣＰＵ２１により実行される制御プログラム及び制御データを蓄積する部分である。ＲＯＭ２２は、ファクシミリ通信手順を実行するための制御プログラム及び制御データも蓄積する部分である。
【００２４】
バス２３は、装置を構成する各部分が共有するディジタル信号伝送路である。
ＲＡＭ２４は、送受される画データを一時的に蓄積し、画データの送受信バッファの機能を有する部分である。
モデム・ＮＣＵインタフェース２５は、モデム２９及びＮＣＵ３０をバス３へ接続するインタフェース部分である。
画像圧縮復元部２６は、送信される画データを符号化して圧縮すると共に受信される圧縮データを復元化する部分である。
【００２５】
ラインメモリ２７は、送受信される画データを一時的に蓄積する部分である。
ＬＡＮインタフェース２８は、ＬＣＵ３１と、バス２３とに接続されており、バス２３から受け入れたデータを所定のパケットに分解してＬＣＵ３１に転送するとともに、ＬＣＵ３１から受け入れたパケットから制御信号及びデータを組み立ててバス２３へ出力する部分である。
モデム２９は、送信信号の変調及び受信信号の復調を行う部分である。
【００２６】
ＮＣＵ（Network Control Unit）３０は、ファクシミリ装置との接続及び切断を制御する部分である。
ＬＣＵ（Line Control Unit）３１は、ゲートウェイ装置との接続及び切断を制御する部分である。
【００２７】
以上説明したゲートウェイ装置２１１及び２２１は、画データをパケット通信網４００へ送信する場合、電話回線３１０を介してＮＣＵ３０に画データが受信されると、受信された画データは、モデム２９で復調される。次いで、画データは、モデム・ＮＣＵインタフェース２５を介してバス２３に出力されＲＡＭ２４に蓄積される。次いで、画データは、ＲＡＭ２４から読み出され、バス２３を介して画像圧縮復元部２６へ転送される。画データは、画像圧縮復元部２６によって復元される。この復元された画データは、そのエラー確認のためにのみ使用される。画データにエラーがないとき、画データは、ＬＡＮインタフェース２８へ転送される。画データは、ＬＡＮインタフェース２８でパケットに分解されＬＣＵ３１を介してパケット通信網４００に送信される。
【００２８】
ゲートウェイ装置２１１及び２２１が、パケット通信網４００を介して受け入れた画データを電話回線３１０に送信する場合について説明する。
パケット通信網４００からＬＣＵ３１にパケットが受信されると、受信されたパケットは、ＬＡＮインタフェース２８によって、画データに組み立てられる。組み立てられた画データは、一旦ラインメモリ２７に蓄積される。
【００２９】
次いで画データは、画像圧縮復元部２６によってラインメモリ２７から読み出され復元され、バス２３を介してＲＡＭ２４に蓄積される。このとき画データはエラーチェックされる。もしエラーがなければ、画データは読み出されてバス２３を介してモデム・ＮＣＵインタフェース２５に転送される。次いで、画データは、モデム２９に転送されて変調され、ＮＣＵ３０を介して電話回線３１０へ送信される。
【００３０】
更に、以上説明した構成機能が有機的に結合され、画データ蓄積手段と、蓄積データ量演算手段と、蓄積データ量監視手段とを構成する。これらの手段については後にゲートウェイ装置の動作の説明でフローチャートを用いて詳細に説明する。
以上でゲートウェイ装置についての説明を終了して、次に再度図１に戻って本システムの動作について説明する。
【００３１】
〈具体例１の動作〉
図１、及び図２では、横方向に本ファクシミリ通信システムの構成機器、即ち、送信機（ファクシミリ装置１１１（図３））、ゲートウェイ装置２１１（図３）、ゲートウェイ装置２２１（図３）、受信機（ファクシミリ装置１２１（図３））を接続順に並べて記してある。縦軸には、図の上から下に向かって時間の経過と共に各装置間での制御信号の交信手順を表している。
以下にステップ順に従ってシステム全体での信号送受信について説明する。
【００３２】
ステップＳ１
ファクシミリ装置１１１が発呼すると、ゲートウェイ装置２１１は、回線を補足し、ファクシミリ装置１１１に対してダイヤルトーン（ＤＴ）を返送すると共に入力待機状態に移行する。
ステップＳ２
ゲートウェイ装置２１１は、ファクシミリ装置１１１から接続先のダイヤル番号を示すＰＢ信号を受信すると、ＲＡＭ２４（図５）に登録されている宛先から適切なパケット網のアドレスを索引（ここではゲートウェイ装置２２１のＩＰアドレス）し、ゲートウェイ装置２２１に対して接続先であるファクシミリ装置１２１のダイヤル番号を付加して接続要求を送信する。
【００３３】
ステップＳ３
ゲートウェイ装置２２１は、この接続要求を受信するとファクシミリ装置１２１に発呼する。
ステップＳ４
ファクシミリ装置１２１は、回線を補足し、ＣＥＤ信号を送信した後、ＤＩＳ信号を送信する。
【００３４】
ステップＳ５
ゲートウェイ装置２２１は、このＤＩＳ信号を受信するとパケットデータに変換してゲートウェイ装置２１１へ送信する。
ステップＳ６
ゲートウェイ装置２１１は、このパケットデータに変換されたＤＩＳ信号を受信すると、モデム２９（図５）で変調データに変換してファクシミリ装置１１１へ送信する。
【００３５】
ステップＳ７
ファクシミリ装置１１１は、ゲートウェイ装置２１１から受信したＤＩＳ信号でファクシミリ装置１２１の能力を認識してＤＣＳ信号を送信して通信モードを通知する。
【００３６】
ステップＳ８
ファクシミリ装置１１１は、ゲートウェイ装置２１１に対して更にＴＣＦ信号を送信する。
ステップＳ９
ゲートウェイ装置２１１は、ＤＣＳ信号をパケットデータに変換してゲートウェイ装置２２１に送信しファクシミリ装置１１１からのＴＣＦ信号の受信に移行する。
【００３７】
ステップＳ１０
ゲートウェイ装置２２１は、パケットデータに変換されたＤＣＳ信号を受信すると、ファクシミリ装置１２１からＣＦＲ信号を受信するものとしてゲートウェイ装置２１１に対してＣＦＲ信号を返送する。
ステップＳ１１
ゲートウェイ装置２２１は、更に、ゲートウェイ装置２１１から受信したＤＣＳ信号をモデム２９（図５）で変調データに変換してファクシミリ装置１２１へ送信する。
【００３８】
ステップＳ１２
ゲートウェイ装置２１１は、ＣＦＲ信号を受信するとモデム２９（図５）で変調データに変換してＴＣＦ信号を受信した後、ファクシミリ装置１１１へ送信する。
ステップＳ１３
ファクシミリ装置１１１は、ＣＦＲ信号を受信すると画データの送信に移行する。
【００３９】
ステップＳ１４
ゲートウェイ装置２２１は、ファクシミリ装置１２１に対してＤＣＳ信号で設定されたモデムのモードでＴＣＦ信号を生成して送信する。
ステップＳ１５
ファクシミリ装置１２１は、ＤＣＳ信号からＴＣＦ信号のモードを知るとともに、ゲートウェイ装置２２１からＴＣＦ信号を受信する。
【００４０】
ステップＳ１６
ファクシミリ装置１２１は、ＴＣＦ信号を正常に受信できたときファクシミリ装置１２１に対してＣＦＲ信号を返送する。
ステップＳ１７
ゲートウェイ装置２２１は、既にゲートウェイ装置２１１に対してＣＦＲ信号を返送済み（ステップＳ１０）なので、このＣＦＲ信号を無視する。即ちゲートウェイ装置２２１が、既にゲートウェイ装置２１１に対してＣＦＲ信号を返送済みなのでゲートウェイ装置２２１は、既にゲートウェイ装置２１１から画データの受信を開始している。
【００４１】
ステップＳ１８
ゲートウェイ装置２１１は、ファクシミリ装置１１１から画データを受信するとパケットデータに変換してゲートウェイ装置２２１へ送信すると同時に後に続く画データの受信を継続する。尚、画データは、１ページ内では、連続したデータであるが、ゲートウェイ装置２１１からゲートウェイ装置２２１の間は、パケットデータなので本具体例では、１ページ分のデータを画データ１から画データ９に分割して記載してある。
ステップＳ１９
ゲートウェイ装置２２１は、上記のようにＣＲＦ信号をファクシミリ装置１２１から受信する前にゲートウェイ装置２１１から画データを受信してＡＣＫ信号を返送しているが、ファクシミリ装置１２１からＣＦＲ信号を受信しても所定のデータ量が蓄積されるまではファクシミリ装置１２１への画データの送信を開始しない。
【００４２】
ステップＳ２０
本具体例では、一例として画データ１から画データ３までを蓄積した後、ゲートウェイ装置２２１はファクシミリ装置１２１へ画データの送信を開始する。
ステップＳ２１
以後通信を継続する。一例としてゲートウェイ装置２１１が画データ５を送信中にゲートウェイ装置２１１とゲートウェイ装置２２１の間で通信遅延が発生したと仮定する。この場合、ゲートウェイ装置２１１は、画データ５の送信を完了する前に画データ６と画データ７のデータを受信する。
【００４３】
ステップＳ２２
ゲートウェイ装置２２１には既に画データ４までの蓄積が有るため、画データ５の送信タイミングまでにゲートウェイ装置２１１から画データ５を受信できれば通信を継続することができる。
ステップＳ２３
画データ６、画データ７は、すでにゲートウェイ装置２１１に蓄積されているため、ゲートウェイ装置２１１とゲートウェイ装置２２１の間の交信は、ファクシミリ装置１１１とファクシミリ装置１２１のタイミングに左右されることなく実施される。
【００４４】
ステップＳ２４
ファクシミリ装置１１１は、画データの送信を完了すると通信終了を示すＥＯＰ信号を送信する。
ステップＳ２５
ゲートウェイ装置２１１は、ＥＯＰ信号を受信すると、画データの送信完了後にパケットデータに変換してゲートウェイ装置２２１に送信する。
【００４５】
ステップＳ２６
ゲートウェイ装置２２１は、ファクシミリ装置１２１に画データを送信完了後に続けてＥＯＰ信号を送信する。
ステップＳ２７
ファクシミリ装置１２１は、ＥＯＰ信号を受信するとゲートウェイ装置２２１に確認信号であるＭＣＦ信号を返送する。
【００４６】
ステップＳ２８
ゲートウェイ装置２２１は、ＭＣＦ信号を受信したとき、この信号をパケットデータに変換してゲートウェイ装置２１１へ送信する。
ステップＳ２９
ゲートウェイ装置２１１は、このＭＣＦ信号を受信したときモデム２９（図５）で変調してファクシミリ装置１１１へ返送する。
【００４７】
ステップＳ３０
ファクシミリ装置１１１は、ＭＣＦ信号を受信するとゲートウェイ装置２１１に対してＤＣＮ信号を送信して通信を終了する。
ステップＳ３１
ゲートウェイ装置２１１は、ファクシミリ装置１１１からのＤＣＮ信号をゲートウェイ装置２２１へ送信し、ゲートウェイ装置２２１は、ファクシミリ装置１２１へ送信して通信を完了する。
【００４８】
以上で本具体例によるファクシミリ通信システムのシステム全体の動作について説明したので、次に上記説明中で従来技術と異なる、特徴的な動作を行うゲートウェイ装置２２１の動作のみについてフローチャートを用いて説明する。
【００４９】
図６は、具体例１のゲートウェイ装置の動作説明図（その１）である。
図７は、具体例１のゲートウェイ装置の動作説明図（その２）である。
上記システム全体の動作でゲートウェイ装置２１１からＤＳＳ信号を受信して（図１のステップＳ９）からファクシミリ装置１２１へ画データを送信する（図１のステップＳ２０）までのゲートウェイ装置の制御動作を表している。以下図に沿ってその制御動作について説明する。
【００５０】
ステップＳ１
ゲートウェイ装置２２１は、ゲートウェイ装置２１１からＤＣＳ信号を受信する。
ステップＳ２
ゲートウェイ装置２２１は、ゲートウェイ装置２１１へＣＦＲ信号を返送する。
ステップＳ３
ゲートウェイ装置２１１から画データを受信するために、画データ受信の割り込みをオープンして割り込み要求が有る度に割り込み処理へ飛んでステップＳ１４〜ステップＳ１６を繰り返す。
以上ステップＳ１からステップＳ３は、上記、画データ蓄積手段に基づく制御である。
【００５１】
ステップＳ１４
ゲートウェイ装置２１１から画データを受信する。
ステップＳ１５
受信した画データをＲＡＭ２４（図５）に蓄積する。
ステップＳ１６
ゲートウェイ装置２１１へＡＣＫ信号を返送する。
【００５２】
ステップＳ４
ゲートウェイ装置２１１は、割り込みオープン後ファクシミリ装置１２１へＤＣＳ信号を送信する。
ステップＳ５
ゲートウェイ装置２１１は、ファクシミリ装置１２１へＤＣＳ信号を送信後、更にＴＣＦ信号を送信する。
【００５３】
ステップＳ６
ファクシミリ装置１２１からＦＴＴ信号を受信した時は再度ステップＳ４から繰り返す。
ステップＳ７
ファクシミリ装置１２１からＦＴＴ信号を受信せず、かつ、Ｔ４タイマー間、応答が無いときも再度ステップＳ４から繰り返す。
ここでＴ４タイマーとは、コマンドを送信してから応答信号を受信するまでのタイマーであり、通常３秒と定義されている。Ｔ４タイマー、タイムアウト後は、コマンドを再度送信し、通常３回送信した後、エラー処理に移行する。
ステップＳ８
ファクシミリ装置１２１からＣＦＲ信号を受信したときは、ステップＳ９へ進み、ＣＦＲ信号を受信しなかったときは再度ステップＳ６から繰り返す。
【００５４】
ステップＳ９
ＤＣＳ信号で決定された伝送速度に基づいて１秒間のデータ量を計算する。例えばＶ．１７（１４．４ｋｂｐｓ）が選択されている場合は１８００バイトになる。
ステップＳ１０
予めＲＡＭ２４（図５）に登録されている遅延時間を読み出し、必要なデータ量を算出する。例えばＶ．１７（１４．４ｋｂｐｓ）が選択時に２秒と設定されている場合は、１８００バイト×２＝３６００バイトとなる。
以上ステップＳ９とステップＳ１０は、上記、蓄積データ量演算手段に基づく制御である。
【００５５】
ステップＳ１１
割り込み処理によってゲートウェイ装置２１１から既に受信済みのデータ量をチェックする。もし受信済みのデータ量が上記算出量よりも大なる場合はステップＳ１３へ進み、小なる場合はステップＳ１２へ進む。
【００５６】
ステップＳ１２
Ｔ２タイマーから１秒余裕を見た値である５秒経過したかどうかを確認し、まだ経過していなければ画データの蓄積処理を継続する。既に５秒経過している場合は、蓄積量を無視してステップＳ１３へ進む。
ここでＴ２タイマーとは、受信機（ここではファクシミリ装置１２１）がＣＦＲ信号を返送してから正常な画データを受信するまでの時間であり、通常６秒と定義されている。
以上ステップＳ１１とステップＳ１２は、上記、蓄積データ量監視手段に基づく制御である。
ステップＳ１３
ゲートウェイ装置２２１はファクシミリ装置１２１へ画データの送信を開始する。
【００５７】
〈具体例１の効果〉
以上説明したように、受信側のゲートウェイ装置に画データ蓄積手段と、蓄積データ量演算手段と、蓄積データ量監視手段を備えることによって以下の効果を得る。
１．ネットワークの揺らぎによって一定量以上の通信遅延が発生した場合に通信障害が発生したと判断され、ファクシミリ通信が強制的に中止されてしまうことが無くなる。
２．その結果、ネットワークの通信品質が向上する。
【００５８】
〈具体例２〉
具体例２によるファクシミリ通信システムの全体構成、及びシステムを構成しているファクシミリ装置とゲートウェイ装置の構成とも、具体例１と全く同様なので説明を割愛する。
具体例１と具体例２との差異は、上記画データ蓄積手段のみである。
具体例１の画データ蓄積手段では、画データを蓄積する時間を得るために受信側ゲートウェイ装置２２１（図１）が、送信側ゲートウェイ装置２１１（図１）からディジタル命令（ＤＣＳ）信号を受け入れたとき、この受信準備確認（ＣＦＲ）信号を受信側ファクシミリ装置１２１（図１）に転送して受信準備確認（ＣＦＲ）信号を受け入れるのを待たずに、独自に送信側ゲートウェイ装置２１１（図１）に受信準備確認（ＣＦＲ）信号を返送して画データの受け入れを開始する。
【００５９】
これに対して具体例２の画データ蓄積手段では、受信側ゲートウェイ装置２２１が、送信側ゲートウェイ装置２１１からディジタル命令（ＤＣＳ）信号を受け入れたとき、このディジタル命令（ＤＣＳ）信号とトレーニングチェック信号（ＴＣＦ）を受信側ファクシミリ装置１２１に転送して受信準備確認（ＣＦＲ）信号を受け入れる。この受信準備確認（ＣＦＲ）信号を送信側ゲートウェイ装置２１１へ返送して画データの受け入れを開始する。この画データを蓄積する時間を得るために、受信側ゲートウェイ装置２２１は、再度ディジタル命令（ＤＣＳ）信号とトレーニングチェック信号（ＴＣＦ）を受信側ファクシミリ装置１２１に転送して受信準備確認（ＣＦＲ）信号を受け入れた後、受信側ファクシミリ装置１２１へ画データの送信を開始する。
図を用いて上記制御動作の差異について詳細に説明する。
【００６０】
図８は、具体例２の通信手順説明図（その１）である。
図９は、具体例２の通信手順説明図（その２）である。
図８、図９では、横方向に本ファクシミリ通信システムの構成機器、即ち、送信機（ファクシミリ装置１１１（図３））、ゲートウェイ装置２１１（図３）、ゲートウェイ装置２２１（図３）、受信機（ファクシミリ装置１２１（図３））を接続順に並べて記してある。縦軸には、図の上から下に向かって時間の経過と共に各装置間での制御信号の交信手順を表している。
以下にステップ順に従ってシステム全体での信号送受信について説明する。
【００６１】
ステップＳ１
ファクシミリ装置１１１が発呼すると、ゲートウェイ装置２１１は、回線を補足し、ファクシミリ装置１１１に対してダイヤルトーン（ＤＴ）を返送すると共に入力待機状態に移行する。
ステップＳ２
ゲートウェイ装置２１１は、ファクシミリ装置１１１から接続先のダイヤル番号を示すＰＢ信号を受信すると、ＲＡＭ２４（図５）に登録されている宛先から適切なパケット網のアドレスを索引（ここではゲートウェイ装置２２１のＩＰアドレス）し、ゲートウェイ装置２２１に対して接続先であるファクシミリ装置１２１のダイヤル番号を付加して接続要求を送信する。
【００６２】
ステップＳ３
ゲートウェイ装置２２１は、この接続要求を受信するとファクシミリ装置１２１に発呼する。
ステップＳ４
ファクシミリ装置１２１は、回線を補足し、ＣＥＤ信号を送信した後、ＤＩＳ信号を送信する。
【００６３】
ステップＳ５
ゲートウェイ装置２２１は、このＤＩＳ信号を受信するとパケットデータに変換してゲートウェイ装置２１１へ送信する。
ステップＳ６
ゲートウェイ装置２１１は、このパケットデータに変換されたＤＩＳ信号を受信すると、モデム２９（図５）で変調データに変換してファクシミリ装置１１１へ送信する。
【００６４】
ステップＳ７
ファクシミリ装置１１１は、ゲートウェイ装置２１１から受信したＤＩＳ信号でファクシミリ装置１２１の能力を認識してＤＣＳ信号を送信して通信モードを通知する。
ステップＳ８
ファクシミリ装置１１１は、ゲートウェイ装置２１１に対して更にＴＣＦ信号を送信する。
ステップＳ９
ゲートウェイ装置２１１は、ＤＣＳ信号をパケットデータに変換してゲートウェイ装置２２１に送信しファクシミリ装置１１１からのＴＣＦ信号の受信に移行する。
【００６５】
ステップＳ１０
ゲートウェイ装置２２１は、パケットデータに変化されたＤＣＳ信号を受信すると、モデム２９（図５）で変調データに変換してファクシミリ装置１２１へ送信する。
ステップＳ１１
更に、ＤＣＳ信号で指定したモードでＴＣＦ信号をファクシミリ装置１２１へ送信する。
ステップＳ１２
更に、ゲートウェイ装置２２１は、ファクシミリ装置１２１からＣＦＲ信号を受信するとパケットデータに変換してゲートウェイ装置２１１へ返送する。
【００６６】
ステップＳ１３
ゲートウェイ装置２１１は、ＣＦＲ信号を受信するとモデム２９（図５）で変調データに変換してファクシミリ装置１１１へ送信する。
ステップＳ１４
ファクシミリ装置１１１は、ＣＦＲ信号を受信すると画データの送信に移行する。
【００６７】
ステップＳ１５
ゲートウェイ装置２２１は、ファクシミリ装置１２１に対してＤＣＳ信号を転送するとともにＤＣＳ信号で設定されたモデムのモードでＴＣＦ信号を生成して送信する。
ステップＳ１６
ファクシミリ装置１２１は、ＤＣＳ信号からＴＣＦ信号のモードを知るとともに、ゲートウェイ装置２２１からＴＣＦ信号を受信する。
【００６８】
ステップＳ１７
ファクシミリ装置１２１は、ＴＣＦ信号を正常に受信できたときファクシミリ装置１２１に対してＣＦＲ信号を返送する。
ステップＳ１８
ゲートウェイ装置２２１は、既にゲートウェイ装置２１１に対してＣＦＲ信号を返送済み（ステップＳ１２）なので、このＣＦＲ信号を無視する。ゲートウェイ装置２２１は、既にゲートウェイ装置２１１から画データの受信を開始している。
【００６９】
ステップＳ１９
ゲートウェイ装置２１１は、ファクシミリ装置１１１から画データを受信するとパケットデータに変換してゲートウェイ装置２２１へ送信する。同時に後に続く画データの受信を継続する。尚、画データは、１ページ内では、連続したデータであるが、ゲートウェイ装置２１１からゲートウェイ装置２２１の間は、パケットデータなので本具体例では、１ページ分のデータを画データ１から画データ９に分割して記載してある。
【００７０】
ステップＳ２０
ゲートウェイ装置２２１は、ファクシミリ装置１２１から２回目のＣＦＲ信号を受信する前にゲートウェイ装置２１１から画データを受信してＡＣＫ信号を返送している。
ステップＳ２１
本具体例では、一例として画データ１から画データ３までを蓄積した後、ゲートウェイ装置２２１はファクシミリ装置１２１へ画データの送信を開始する。
ステップＳ２２
以後通信を継続する。一例としてゲートウェイ装置２１１が画データ５を送信中にゲートウェイ装置２１１とゲートウェイ装置２２１の間で通信遅延が発生したと仮定する。この場合、ゲートウェイ装置２１１は、画データ５の送信を完了する前に画データ６と画データ７のデータを受信する。
【００７１】
ステップＳ２３
ゲートウェイ装置２２１には既に画データ４までの蓄積が有るため、画データ５の送信タイミングまでにゲートウェイ装置２１１から画データ５を受信できれば通信を継続することができる。
ステップＳ２４
画データ６、画データ７は、すでにゲートウェイ装置２１１に蓄積されているため、ゲートウェイ装置２１１とゲートウェイ装置２２１の間の交信は、ファクシミリ装置１１１とファクシミリ装置１２１のタイミングに左右されることなく実施される。
ステップＳ２５
ファクシミリ装置１１１は、画データの送信を完了すると通信終了を示すＥＯＰ信号を送信する。
【００７２】
ステップＳ２６
ゲートウェイ装置２１１は、ＥＯＰ信号を受信すると、画データの送信完了後にパケットデータに変換してゲートウェイ装置２２１に送信する。
ステップＳ２７
ゲートウェイ装置２２１は、ファクシミリ装置１２１に画データを送信完了後、続けてＥＯＰ信号を送信する。
ステップＳ２８
ファクシミリ装置１２１は、ＥＯＰ信号を受信するとゲートウェイ装置２２１に確認信号であるＭＣＦ信号を返送する。
【００７３】
ステップＳ２９
ゲートウェイ装置２２１は、ＭＣＦ信号を受信したとき、この信号をパケットデータに変換してゲートウェイ装置２１１へ送信する。
ステップＳ３０
ゲートウェイ装置２１１は、このＭＣＦ信号を受信したときモデム２９（図５）で変調してファクシミリ装置１１１へ返送する。
【００７４】
ステップＳ３１
ファクシミリ装置１１１は、ＭＣＦ信号を受信するとゲートウェイ装置２１１に対してＤＣＮ信号を送信して通信を終了する。
ステップＳ３２
ゲートウェイ装置２１１は、ファクシミリ装置１１１からのＤＣＮ信号をゲートウェイ装置２２１へ送信し、ゲートウェイ装置２２１は、ファクシミリ装置１２１へ送信して通信を完了する。
【００７５】
以上で本具体例によるファクシミリ通信システムのシステム全体の動作について説明したので、次に上記説明中で従来技術と異なる、特徴的な動作を行うゲートウェイ装置２２１の動作のみについてフローチャートを用いて説明する。
図１０は、具体例２のゲートウェイ装置の動作説明図（その１）である。
図１１は、具体例２のゲートウェイ装置の動作説明図（その２）である。
上記システム全体の動作でゲートウェイ装置２１１からＤＳＳ信号を受信して（図８のステップＳ９）からファクシミリ装置１２１へ画データを送信する（図８のステップＳ２１）までのゲートウェイ装置の制御動作を表している。以下図に沿ってその制御動作について説明する。
【００７６】
ステップＳ１
ゲートウェイ装置２２１は、ゲートウェイ装置２１１からＤＣＳ信号を受信する。
ステップＳ２
ゲートウェイ装置２２１は、ファクシミリ装置１２１へＤＣＳ信号を送信した後、ＴＣＦ信号をファクシミリ装置１２１へ送信する。
ステップＳ３
ファクシミリ装置１２１からＦＴＴ信号（トレーニング失敗信号）を受信しないときはステップＳ４へ進み、ＦＴＴ信号を受信したときは、ステップＳ２へ戻ってステップＳ２、ステップＳ３を繰り返す。
【００７７】
ステップＳ４
Ｔ４（３秒）タイムアウトする前は、ステップＳ５へ進み、Ｔ４（３秒）タイムアウトした後は、ステップＳ３へ戻ってステップＳ３、ステップＳ４を繰り返す。
ステップＳ５
ファクシミリ装置１２１からＣＦＲ信号を受信したときはステップＳ６へ進み、ＣＦＲ信号を受信できなかったときはステップＳ３へ戻ってステップＳ３、ステップＳ４、ステップＳ５を繰り返す。
ステップＳ６
ゲートウェイ装置２１１へＣＦＲ信号を返送する。
【００７８】
ステップＳ７
ゲートウェイ装置２１１から画データを受信するために、画データ受信の割り込みをオープンして割り込み要求が有る度に割り込み処理へ飛んでステップＳ１７〜ステップＳ１９を繰り返す。
【００７９】
ステップＳ１７
ゲートウェイ装置２１１から画データを受信する。
ステップＳ１８
受信した画データをＲＡＭ２４（図５）に蓄積する。
ステップＳ１９
ゲートウェイ装置２１１へＡＣＫ信号を返送する。
【００８０】
ステップＳ８
ファクシミリ装置１２１へ２回目のＤＣＳ信号を送信し、その後ＴＣＦ信号を送信する。
ステップＳ９
ファクシミリ装置１２１からＦＴＴ信号を受信した時は再度ステップＳ８から繰り返し、ＦＴＴ信号を受信しない時はステップＳ１０へ進む。
【００８１】
ステップＳ１０
ファクシミリ装置１２１からＦＴＴ信号を受信する前にＴ４タイマーがタイムアウトした時は再度ステップＳ８から繰り返し、Ｔ４タイマーのタイムアウト前にＦＴＴ信号を受信したときはステップＳ１１へ進む。
ステップＳ１１
ファクシミリ装置１２１からＣＦＲ信号を受信したときは、ステップＳ１２へ進み、ＣＦＲ信号を受信しなかったときは再度ステップＳ９から繰り返す。
以上ステップＳ８からステップＳ１１は、画データ蓄積手段に基づく制御である。
【００８２】
ステップＳ１２
ＤＣＳ信号で決定された伝送速度に基づいて１秒間のデータ量を計算する。例えばＶ．１７（１４．４ｋｂｐｓ）が選択されている場合は１８００バイトになる。
ステップＳ１３
予めＲＡＭ２４（図５）に登録されている遅延時間を読み出し、必要なデータ量を算出する。例えば、Ｖ．１７（１４．４ｋｂｐｓ）選択時に２秒と設定されている場合は、１８００バイト×２＝３６００バイトとなる。
以上ステップＳ１２、ステップＳ１３は、蓄積データ量演算手段に基づく制御である。
【００８３】
ステップＳ１４
ゲートウェイ装置２１１から割り込み処理によって、既に受信済みのデータ量をチェックする。もし受信済みのデータ量が上記算出量よりも大なる場合はステップＳ１６へ進み、小なる場合はステップＳ１５へ進む。
以上ステップＳ１４とステップＳ１５は、上記、蓄積データ量監視手段に基づく制御である。
【００８４】
ステップＳ１５
Ｔ２タイマーから１秒余裕を見た値である５秒経過したかどうかを確認し、まだ経過していなければ画データの蓄積処理を継続する。既に５秒経過している場合は、蓄積量を無視してステップＳ１６進む。
ステップＳ１６
ゲートウェイ装置２２１はファクシミリ装置１２１へ画データの送信を開始する。
【００８５】
〈具体例２の効果〉
以上説明したように、受信側ゲートウェイ装置が送信側ゲートウェイ装置からＤＣＳ信号受信後、受信側ファクシミリ装置へこのＤＣＳ信号を転送してＣＦＲ信号を受信するのを待たずに、独自にＣＦＲ信号を送信側ゲートウェイに返送して画データの受け入れを開始する画データ蓄積手段と、蓄積データ量演算手段と、蓄積データ量監視手段を備えることによって以下の効果を得る。
１．具体例１と同様にネットワークの揺らぎによって一定量以上の通信遅延が発生した場合に通信障害が発生したと判断され、ファクシミリ通信が強制的に中止されてしまうことが無くなる。
２．その結果、ネットワークの通信品質が向上する。
【００８６】
〈具体例３〉
具体例３によるファクシミリ通信システムの全体構成、及びシステムを構成しているファクシミリ装置とゲートウェイ装置の構成とも、具体例１と全く同様なので説明を割愛する。
上記具体例１と具体例２では、主に受信側ゲートウェイ装置の制御動作によってネットワークの揺らぎによる通信遅延発生時にファクシミリ通信が強制的に中止されるのを防止した。具体例３では主に送信側ゲートウェイ装置の制御動作によってネットワークの揺らぎによる通信遅延発生時にファクシミリ通信が強制的に中止されてしまうことを防止する。
【００８７】
即ち、送信側ゲートウェイ装置に、リアルタイム通信から蓄積通信への移行を通知する付加情報付きメッセージ確認（ＭＣＦ）信号を送信する蓄積通信移行通知手段を備える。通信遅延が発生したときに、送信側ゲートウェイ装置は、送信側ファクシミリ装置から手順終了（ＥＯＰ）信号を３回受信したときに、画データの送信完了を待たずに、上記リアルタイム通信から蓄積通信への移行を通知する付加情報付きメッセージ確認（ＭＣＦ）信号を送信する。送信側ファクシミリ装置は、この付加情報付きメッセージ確認（ＭＣＦ）信号を受信したとき回線を切断してしまう。以下にその詳細について説明する。
【００８８】
図１２は、具体例３の通信手順説明図である。
図１２では、横方向に本ファクシミリ通信システムの構成機器、即ち、送信機（ファクシミリ装置１１１（図３））、ゲートウェイ装置２１１（図３）、ゲートウェイ装置２２１（図３）、受信機（ファクシミリ装置１２１（図３））を接続順に並べて記してある。縦軸には、図の上から下に向かって時間の経過と共に各装置間での制御信号の交信手順を表している。
以下にステップ順に従ってシステム全体での信号送受信について説明する。
【００８９】
ステップＳ１
ファクシミリ装置１１１が発呼すると、ゲートウェイ装置２１１は、回線を補足し、ファクシミリ装置１１１に対してダイヤルトーン（ＤＴ）を返送すると共に入力待機状態に移行する。
ステップＳ２
ゲートウェイ装置２１１は、ファクシミリ装置１１１から接続先のダイヤル番号を示すＰＢ信号を受信すると、ＲＡＭ２４（図５）に登録されている宛先から適切なパケット網のアドレスを索引（ここではゲートウェイ装置２２１のＩＰアドレス）し、ゲートウェイ装置２２１に対して接続先であるファクシミリ装置１２１のダイヤル番号を付加して接続要求を送信する。
【００９０】
ステップＳ３
ゲートウェイ装置２２１は、この接続要求を受信するとファクシミリ装置１２１に発呼する。
ステップＳ４
ファクシミリ装置１２１は、回線を補足し、ＣＥＤ信号を送信した後、ＮＳＦ信号、ＤＩＳ信号を送信する。
【００９１】
ステップＳ５
ゲートウェイ装置２２１は、このＤＩＳ信号とＮＳＦ信号を受信するとパケットデータに変換してゲートウェイ装置２１１へ送信する。
ステップＳ６
ゲートウェイ装置２１１は、このパケットデータに変換されたＮＳＦ信号とＤＩＳ信号を受信すると、モデム２９（図５）で変調データに変換してファクシミリ装置１１１へ送信する。このときゲートウェイ装置２１１がリアルタイム通信から蓄積通信への切替通知機能を所持していることを通知する。この通知はＮＳＦ信号に特定のビットを付加することによって行われる。
ここで、リアルタイム通信から蓄積通信への切替通知機能は、Ｔ．３０で使用されているＭＣＦ信号に付加情報を加えることによって行われる。
【００９２】
ステップＳ７
ファクシミリ装置１１１は、ゲートウェイ装置２１１から受信したＮＳＦ信号でゲートウェイ装置２１１の能力を認識する。付加情報付きのＭＣＦ信号を受信可能である旨ＮＳＳ信号にてゲートウェイ装置２１１に通知する。即ち能力宣言通知を行う。
ステップＳ８
ファクシミリ装置１１１は、ゲートウェイ装置２１１に対して更にＴＣＦ信号を送信する。
ステップＳ９
ゲートウェイ装置２１１は、ＮＳＳ信号から付加情報付きのＭＣＦ信号を受信可能である旨の通知を削除した後、ＮＳＳ信号をパケットデータに変換してゲートウェイ装置２２１に送信する。その後ファクシミリ装置１１１からのＴＣＦ信号の受信に移行する。
【００９３】
ステップＳ１０
ゲートウェイ装置２２１は、パケットデータに変換されたＮＳＳ信号を受信すると、モデム２９（図５）で変調データに変換してファクシミリ装置１２１へ送信する。
ステップＳ１１
ゲートウェイ装置２２１は、更に、ＮＳＳ信号で設定されたモデムのモードでＴＣＦ信号を生成してファクシミリ装置１２１へ送信する。
ステップＳ１２
ファクシミリ装置１２１は、ゲートウェイ装置２２１からＴＣＦ信号を受信する。
【００９４】
ステップＳ１３
ファクシミリ装置１２１は、ＴＣＦ信号を正常に受信できたときゲートウェイ装置２２１にＣＦＲ信号を返送する。
ステップＳ１４
ゲートウェイ装置２２１は、ＣＦＲ信号を受信したとき、この信号をパケットデータに変換してゲートウェイ装置２１１へ返送する。
ステップＳ１５
ゲートウェイ装置２１１は、ＣＦＲ信号を受信したときモデム２９（図５）で変調データに変換してファクシミリ装置１１１へ返送する。
【００９５】
ステップＳ１６
ファクシミリ装置１１１は、ＣＦＲ信号を受信したとき画データの送信に移行する。
ステップＳ１７
ゲートウェイ装置２１１は、ファクシミリ装置１１１から画データを受信するとパケットデータに変換してゲートウェイ装置２２１へ送信する。
ステップＳ１８
ゲートウェイ装置２２１は、ゲートウェイ装置２１１から受信した画データをモデム２９（図５）で変調データに変換してファクシミリ装置１２１へ送信する。
【００９６】
ステップＳ１９
ファクシミリ装置１１１は、画データを送信した後、通信終了を示すＥＯＰ信号を送信する。
ステップＳ２０
ゲートウェイ装置２１１は、ＥＯＰ信号を受信すると画データの送信終了後パケットデータに変換してゲートウェイ装置２２１へ送信する。
ステップＳ２１
ゲートウェイ装置２２１は、受信したＥＯＰ信号をモデム２９（図５）で変調データに変換してファクシミリ装置１２１へ送信する。
【００９７】
ステップＳ２２
ファクシミリ装置１２１は、ＥＯＰ信号を受信するとゲートウェイ装置２２１へ確認信号であるＭＣＦ信号を返送する。
ステップＳ２３
ゲートウェイ装置２２１はこのＭＣＦ信号を受信し、パケットデータに変換してゲートウェイ装置２１１へ返送する。通常の状態では、このＭＣＦ信号はゲートウェイ装置２１１からファクシミリ装置１１１へ返送されるが、ここではゲートウェイ装置２１１とゲートウェイ装置２２１を接続するパケット通信網４００（図３）で遅延が生じているものと仮定している。ファクシミリ装置１１１は、Ｔ．３０の手順に従っているため、以下のように制御される。
【００９８】
ステップＳ２４
ファクシミリ装置１１１は、ステップＳ１９でＥＯＰ信号を送信してもＭＣＦ信号が返送されないので、３秒後にＥＯＰ信号を再送する。
ステップＳ２５
ゲートウェイ装置２１１は、ゲートウェイ装置２２１からＭＣＦ信号を受信する前にファクシミリ装置１１１からＥＯＰ信号を３回受信するとファクシミリ装置１１１に対して付加情報付きＭＣＦ信号を送信する。ここで付加情報は、一例として０１をセットして、蓄積通信に移行したことを示す。即ち、本来ゲートウェイ装置２２１からＭＣＦ信号を受信した後にファクシミリ装置１１１にＭＣＦ信号を送信すべきところであるが、本具体例では、蓄積通信移行通知をファクシミリ装置１１１に送信するために、この時点で付加情報付きＭＣＦ信号をファクシミリ装置１１１へ送信する。
ステップＳ２６
ファクシミリ装置１１１は、このＭＣＦ信号を受信することで蓄積通信に移行したことを知ると共にＤＣＮ信号をゲートウェイ装置２１１へ送信して回線を切断する。
【００９９】
ステップＳ２７
ゲートウェイ装置２１１は、ファクシミリ装置１１１からＤＣＮ信号を受信した後にゲートウェイ装置２２１からＭＣＦ信号を受信したときゲートウェイ装置２２１に対してＤＣＮ信号を送信する。
ステップＳ２８
ゲートウェイ装置２２１は、ＤＣＮ信号をモデム２９（図５）で変調して
モデム２９（図５）で変調データに変換してファクシミリ装置１２１へ送信する。
ステップＳ２９
ファクシミリ装置１２１は、ＤＣＮ信号を受信した後、回線を切断して通信を終了する。
【０１００】
以上で本具体例によるファクシミリ通信システムのシステム全体の動作について説明したので、次に上記説明中で従来技術と異なる、特徴的な動作を行う送信機側ゲートウェイ装置２１１の動作のみについてフローチャートを用いて説明する。
【０１０１】
図１３は、具体例３のゲートウェイ装置の動作説明図（その１）である。
図１４は、具体例３のゲートウェイ装置の動作説明図（その２）である。
上記システム全体の動作でゲートウェイ装置２２１からＤＩＳ信号を受信して（図１２のステップＳ６）からゲートウェイ装置２２１へＤＣＮ信号を送信する（図１２のステップＳ２７）までのゲートウェイ装置２１１（送信側）の制御動作を表している。以下、図に沿ってその制御動作について説明する。
【０１０２】
ステップＳ１
ゲートウェイ装置２１１は、接続処理後ゲートウェイ装置２２１からのＮＳＦ信号とＤＩＳ信号を受信するまで待機し、受信後ステップＳ２へ進む。このときゲートウェイ装置２１１がリアルタイム通信から蓄積通信への切替通知機能を所持していることを通知する。
ステップＳ２
ファクシミリ装置１１１にＮＳＦ信号とＤＩＳ信号を送信する。このときゲートウェイ装置２１１がリアルタイム通信から蓄積通信への切替通知機能を所持していることを通知する。
このステップＳ２が切替機能通知手段による制御である。
【０１０３】
ステップＳ３
ファクシミリ装置１１１からＮＳＳ信号を受信するまで待機し、受信後ステップＳ４へ進む。この時、付加情報付きのＭＣＦ信号を受信可能である旨の付加ビットがＮＳＳ信号に付加されている。即ち能力宣言通知を行う。
このステップＳ３が能力宣言通知手段による制御である。
ステップＳ４
ゲートウェイ装置２１１へＮＳＳ信号を送信する。
【０１０４】
ステップＳ５
ファクシミリ装置１１１からＴＣＦ信号の受信を開始する。
ステップＳ６
ＴＣＦ信号の受信を継続しながらゲートウェイ装置２２１からＣＦＲ信号を受信するまで待機し、受信後ステップＳ７へ進む。
ステップＳ７
ファクシミリ装置１１１に対してＣＦＲ信号を送信する。
【０１０５】
ステップＳ８
ＣＦＲ信号を送信後ファクシミリ装置１１１からの画データ受信の割り込みをオープンして、ステップＳ３０へ飛ぶ。
ステップＳ３０
ファクシミリ装置１１１から画データを受信する。
ステップＳ３１
受信した画データをＲＡＭ２４（図５）に蓄積する。ステップＳ９へ戻る。
ステップＳ９
１パケット分の画データが蓄積されるまで割り込み処理を継続し、１パケット分の画データが蓄積されたことを確認後ステップＳ１０へ進む。
【０１０６】
ステップＳ１０
ゲートウェイ装置２２１への送信が可能かどうかを確認し、可能なときはステップＳ１１へ進み、不可能なときはステップＳ１２へ飛ぶ。
ステップＳ１１
ゲートウェイ装置２２１へ画データを送信する。
ステップＳ１２
最終データを受信したかどうかを確認する。もし最終データであればステップＳ１３へ進み、最終データでなければ１パケット分のデータ蓄積を確認するためにステップＳ９へ戻る。
【０１０７】
ステップＳ１３
画データ受信割り込みをクローズし、ファクシミリ装置１１１からのポストコマンド受信待機に移行する。
ステップＳ１４
ゲートウェイ装置２２１への送信が可能かどうかを確認し、可能なときはステップＳ１５へ進み、不可能なときはステップＳ１６へ飛ぶ。
ステップＳ１５
ゲートウェイ装置２２１へ画データを送信する。
ステップＳ１６
ポストコマンドを受信するまでステップＳ１４、ステップＳ１５を繰り返し、ポストコマンドを受信後にステップＳ１７へ進む。
【０１０８】
ステップＳ１７
ゲートウェイ装置２２１へ画データを送信完了しているかどうかを確認する。画データの送信が完了していればステップＳ１９へ進み、まだ完了していなければステップＳ１８へ進む。
ステップＳ１８
ファクシミリ装置１１１からポストコマンドを３回受信するまではポストコマンド受信待機を継続し、３回受信したときにステップＳ３２へ飛んで蓄積通信へ移行する。
【０１０９】
ステップＳ３２
蓄積通信移行通知をファクシミリ装置１１１に送信するために、この時点で付加情報付きＭＣＦ信号をファクシミリ装置１１１へ送信する。
このステップＳ３２が、蓄積通信移行通知手段による制御である。
ステップＳ３３
ファクシミリ装置１１１からＤＮＣ信号を受信する。この時点でファクシミリ装置１１１が、回線切断したことを認識する。
ステップＳ３４
ゲートウェイ装置２２１からのＭＣＦ信号の受信を待ち、受信後ステップＳ３５へ進む。
ステップＳ３５
ゲートウェイ装置２２１へＤＣＮ信号を送信して回線を切断する。
【０１１０】
次にステップＳ１７からステップＳ１９へ進んだ場合について説明する。
ステップＳ１９
ファクシミリ装置１１１からポストコマンドを３回受信する前に画データをファクシミリ装置１１１へ送信完了した場合は、ゲートウェイ装置２２１へポストコマンドを送信する。
ステップＳ２０
ゲートウェイ装置２２１からのＭＣＦ信号受信待機に移行する。ゲートウェイ装置２２１からＭＣＦ信号を受信したときはステップＳ２２へ進み、ＭＣＦ信号を受信しなかったときは、ステップＳ２１へ進む。
【０１１１】
ステップＳ２１
所定の時間タイムアウトするまでにＭＣＦ信号を受信しなかった場合はステップＳ３２へ進んで蓄積通信へ移行する。
ステップＳ３２
蓄積通信移行通知をファクシミリ装置１１１に送信するために、この時点で付加情報付きＭＣＦ信号をファクシミリ装置１１１へ送信する。
このステップＳ３２が、蓄積通信移行通知手段による制御である。
【０１１２】
ステップＳ３３
ファクシミリ装置１１１からＤＮＣ信号を受信する。この時点でファクシミリ装置１１１が、回線切断したことを認識する。
ステップＳ３４
ゲートウェイ装置２２１からのＭＣＦ信号の受信を待ち、受信後ステップＳ３５へ進む。
ステップＳ３５
ゲートウェイ装置２２１へＤＣＮ信号を送信して回線を切断する。
【０１１３】
次にステップＳ２０からステップＳ２２へ進んだ場合について説明する。
ステップＳ２２
所定の時間タイムアウトする前にゲートウェイ装置２２１からＭＣＦ信号を受信した場合は、ファクシミリ装置１１１へＭＣＦ信号を返送する。
ステップＳ２３
ポストコマンドがＭＰＳ信号の場合は、ステップＳ７へ戻って次ページの画データの受信動作に入る。
ステップＳ２４
ポストコマンドがＥＯＭ信号の場合は、ステップＳ１へ戻ってゲートウェイ装置２２１からのＤＩＳ信号受信を待つ。
【０１１４】
ステップＳ２５
ポストコマンドがＥＯＰ信号の場合は、ファクシミリ装置１１１からのＤＣＮ信号の受信待機に移行する。
ステップＳ２６
ファクシミリ装置１１１からＤＣＮ信号を受信したときゲートウェイ装置２２１に対してＤＣＮ信号を送信して回線切断処理に入る。
【０１１５】
以上で具体例３のゲートウェイ装置（送信側）の動作説明を終了する。
以上の説明では、蓄積通信移行通知手段の制御例を図１４のステップＳ１８とステップＳ２１に限定して説明したが、本具体例は、この２例に限定されるものではない。他にも蓄積通信移行通知手段の制御例は発生しうるが、ＭＣＦ信号に制御動作としては上記２例と同様なので説明を割愛する。
【０１１６】
〈具体例３の効果〉
以上説明したように、送信側のゲートウェイ装置に、蓄積通信移行通知手段と切替機能通知手段と能力宣言通知手段を備えることによって以下の効果を得る。
１．具体例１と同様にネットワークの揺らぎによって一定量以上の通信遅延が発生した場合に通信障害が発生したと判断され、ファクシミリ通信が強制的に中止されてしまうことが無くなる。
２．その結果、ネットワークの通信品質が向上する。
【０１１７】
〈具体例４〉
上記具体例３では、ゲートウェイ装置２１１（送信側）からファクシミリ装置１１１（送信側）へ蓄積通信への移行を通知したが、具体例４では、蓄積通信が終了した後の確認の手順を追加したものである。
図１５は、具体例４の通信手順説明図である。
図１５では、横方向に本ファクシミリ通信システムの構成機器、即ち、送信機（ファクシミリ装置１１１（図３））、ゲートウェイ装置２１１（図３）、ゲートウェイ装置２２１（図３）、受信機（ファクシミリ装置１２１（図３））を接続順に並べて記してある。縦軸には、図の上から下に向かって時間の経過と共に各装置間での制御信号の交信手順を表している。
【０１１８】
尚、本具体例は上記具体例３への追加手順なので、以下に記すステップ順は図１２の延長上にあり、ステップＳ２９（図１２）に続くステップＳ３０から図１５に従ってシステム全体での信号送受信について説明する。
【０１１９】
但し、具体例３のみで終了する場合はステップＳ２９（図１２）のＤＣＮ信号は、特に付加情報を必要としなかったが、本具体例に繋がるためには以下の付加情報を必要とする。
ステップＳ２９
ファクシミリ装置１１１はゲートウェイ装置２１１に対して付加情報付きのＤＣＮ信号を送信する。
【０１２０】
ここで、ＤＣＮ信号の構成について図を用いて説明する。
図１６は、付加情報を含んだＤＣＮの構成図である。
図１６より、付加情報は、確認通知不要“００”、エラー時のみ確認通知必要“０１”、確認通知必要“０２”、等から構成されている。それぞれの間は、“＊”によって区切られている。
【０１２１】
再度図１５へ戻る。
ステップＳ３０
ゲートウェイ装置２１１がファクシミリ装置１１１へ発呼する。
ステップＳ３１
ファクシミリ装置１１１は、回線を補足し、ゲートウェイ装置２１１に対してＣＥＤ信号送信後、ＮＳＦ信号、ＤＩＳ信号を送信する。そのときＮＳＦ信号に確認通知を受け取れる能力を宣言するビットをセットする。
【０１２２】
ステップＳ３２
ゲートウェイ装置２１１は、ＮＳＦ信号を受信して確認通知ができることを認識するとともにＮＳＳ信号によって確認通知を伝達する。
ここで、ＮＳＳ信号の構成について図を用いて説明する。
図１７は、確認通知を含んだＮＳＳの構成図である。
図１７より、確認通知は、受付番号、通信結果、通信終了時刻から構成されている。それぞれの間は、“＊”によって区切られている。受付番号はＭＣＦ信号に付加された値を挿入する。本具体例では“１２３４”となる。送信結果としては、“００”または、“０１”が挿入され、“０１”は、正常終了を表す。通信終了時として本具体例では、ローカル時間を設定するが、標準時間を使用することも可能である。
【０１２３】
再度図１５へ戻る。
ステップＳ３３
ファクシミリ装置１１１は、ＮＳＳ信号によって確認通知の内容を確認後ＭＣＦ信号を返送する。
ステップＳ３４
ゲートウェイ装置２１１は、ＭＣＦ信号を受信後ＤＣＮ信号を送信して回線を切断する。
【０１２４】
以上で本具体例によるファクシミリ通信システムのシステム全体の動作について説明したので、次に上記説明中で従来技術と異なる、特徴的な動作を行う送信機側ゲートウェイ装置２１１の動作のみについてフローチャートを用いて説明する。
【０１２５】
図１８は、具体例４のゲートウェイ装置の動作説明図である。
上記システム全体の動作でファクシミリ装置１１１へ発呼して（図１５のステップＳ３０）から、ファクシミリ装置１１１へＤＣＮ信号を送信する（図１５のステップＳ３４）までのゲートウェイ装置２１１（送信側）の制御動作を表している。以下図に沿ってその制御動作について説明する。
【０１２６】
制御動作の前提条件としてゲートウェイ装置２１１は、ステップＳ２５で、ファクシミリ装置１１１から付加情報付きのＤＣＮ信号を受信する。
このステップＳ２５が、確認通知要求手段による制御である。
ステップＳ４０
ゲートウェイ装置２１１がファクシミリ装置１１１へ発呼する。
ステップＳ４１
ファクシミリ装置１１１は、回線を補足し、ゲートウェイ装置２１１に対してＣＥＤ信号送信後、ＮＳＦ信号、ＤＩＳ信号を送信する。そのときＮＳＦ信号に確認通知を受け取れる能力を宣言するビットをセットする。
【０１２７】
ステップＳ４２
ゲートウェイ装置２１１は、ＮＳＦ信号を受信して確認通知ができることを認識するとともにＮＳＳ信号によって確認通知を伝達する。
このステップＳ４２が、確認通知伝達手段による制御である。
ステップＳ４３
ファクシミリ装置１１１からＭＣＦ信号を受信する。
ステップＳ４４
ファクシミリ装置１１１は、ＭＣＦ信号を受信後ＤＣＮ信号を送信して回線を切断する。
以上で具体例４のゲートウェイ装置（送信側）の制御動作についての説明を終了する。
【０１２８】
〈具体例４の効果〉
以上説明したように、上記具体例３の送信側ファクシミリ装置に更に確認通知要求手段を備え、かつ送信側ゲートウェイ装置に更に確認通知伝達手段を備えることによって、より一層信頼性の高い通信を行うことが可能になる。
【０１２９】
〈具体例５〉
本具体例はパケット通信網４００（図３）の輻輳がひどく送信者が意図した時刻内に画データが届かない場合等を想定する。この場合に本具体例では、画データの送達許容時刻、即ち有効期限を設定する手段が上記具体例４に追加される。この有効期限を設定する手段の追加は、操作者が通信開始時に操作表示部１５（図４）から入力することによって実行される。以下にその詳細について説明する。
【０１３０】
図１９は、具体例５の有効期限設定手段の追加動作説明図である。
図上Ｓ１〜Ｓ７までのステップは、操作表示部１５（図４）の例えば液晶パネル上の表示を表している。以下ステップ順に説明する。
ステップＳ１
操作者が原稿をセットするとＣＰＵ１（図４）は、操作表示部１５（図４）の例えば液晶パネル上に宛先の入力を要求してくる。
ステップＳ２
操作者が＃を入力するとＣＰＵ１（図４）は、ＩＰ通信モードに移行し、送達確認の有効期限の入力を要求してくる。
【０１３１】
ステップＳ３
操作者が有効期限１４時３０分を入力する。
ステップＳ４
操作者がＹＥＳキーを押し下げすると、次にＣＰＵ１（図４）は、ＩＰネットワークへの接続先つまりゲートウェイの番号の入力を要求してくる。
ステップＳ５
操作者が、接続先である１２３−４５６７を入力する。
ステップＳ６
操作者が、ＹＥＳキーを押し下げすると、次にＣＰＵ１（図４）は、送信宛先の入力を要求してくる。
【０１３２】
ステップＳ７
操作者が、宛先である０３−３３３−４４４４を入力すると通信モードに移行する。
以下、上記具体例３の通信手順（図１２）、及び上記具体例４の通信手順（図１５）に従って通信モードが進行する。
以上で有効期限設定手段の追加動作の説明を終了して、次に、本具体例のゲートウェイ装置（送信側）の制御動作について説明する。
【０１３３】
図２０は、具体例５のゲートウェイ装置の動作説明図（その１）である。
図２１は、具体例５のゲートウェイ装置の動作説明図（その２）である。
上記具体例３のシステム全体の動作でゲートウェイ装置２２１が画データの送信を開始してから（図１２のステップＳ１９）から終了処理（図１２のステップＳ２６）までのゲートウェイ装置２１１（送信側）の制御動作を表している。以下、図に沿ってその制御動作について説明する。
【０１３４】
ステップＳ１
ゲートウェイ装置２１１は、ゲートウェイ装置２２１へ画データの送信を継続する。
ステップＳ２
確認通知の有効期限に達したかどうかを絶えず監視して、有効期限に達した場合はタイムアウト通知の確認通知処理へ移行し、有効期限に達していない場合はステップＳ３へ進む。
ステップＳ３
画データの送信完了を監視して、送信完了している場合はステップＳ９へ進み、送信完了していない場合はステップＳ４へ進む。最初に送信完了していない場合について説明する。
【０１３５】
ステップＳ４
ファクシミリ装置１１１から３回目のＥＯＰ信号を受信済みかどうかをチェックして、受信済みでなければステップＳ１へ戻って画データの送信を継続し、もし受信済みならば、ステップＳ５へ進む。
ステップＳ５
付加情報付きメッセージ確認（ＭＣＦ）信号をファクシミリ装置１１１へ返送したかどうかチェックして、もし返送していなければステップＳ６へ進み、返送済みであれば、ステップＳ７へ進む。
【０１３６】
ステップＳ６
ファクシミリ装置１１１へ付加情報付きメッセージ確認（ＭＣＦ）信号を返送した後、ステップＳ１へ戻って画データの送信を継続する。
ステップＳ７
ファクシミリ装置１１１から付加情報付きメッセージ確認（ＭＣＦ）信号を受信したかどうかをチェックして、受信していなければステップＳ１へ戻って画データの送信を継続し、受信していれば、ステップＳ８へ進む。
ステップＳ８
確認通知の有効期限をメモリに記録した後ステップＳ１へ戻って画データの送信を継続する。
【０１３７】
次に、上記ステップＳ３において、画データの送信が完了している場合について説明する。
ステップＳ９
ファクシミリ装置１１１からのＥＯＰ信号の受信を待って、受信後にステップＳ１０へ進む。
ステップＳ１０
ゲートウェイ装置２２１へＥＯＰ信号を送信する。
【０１３８】
ステップＳ１１
ゲートウェイ装置２２１からＭＣＦ信号の受信を待って、受信できた場合はステップＳ１７へ進み、受信できないときはステップＳ１２へ進む。まず最初に、受信できない場合について説明する。
ステップＳ１２
ファクシミリ装置１１１から３回目のＥＯＰ信号の受信を待って、受信後にステップＳ１３へ進む。
ステップＳ１３
ファクシミリ装置１１１へ付加情報付きメッセージ確認（ＭＣＦ）信号を返送する。
ステップＳ１４
ファクシミリ装置１１１からの受信を待って、受信後にステップＳ１５へ進む。
【０１３９】
ステップＳ１５
ＤＣＮ信号から確認通知の有効期限を読み取ってその有効期限をメモリに書き込む。
ステップＳ１６
有効期限のチェックをしながらＭＣＦ信号の受信を待ち、ＭＣＦ信号を受信する前に有効期限をタイムアウトした場合は、タイムアウト通知処理へ移行する。
次に上記ステップＳ１１でＭＣＦ信号を受信した場合について説明する。
ステップＳ１７
ファクシミリ装置１１１へ付加情報付きＭＣＦ信号を送信済みで、かつ付加情報付きＤＣＮ信号を受信済みの場合はステップＳ１８へ進み、それ以外の場合は、ステップＳ１９へ進む。
【０１４０】
ステップＳ１８
ゲートウェイ装置２２１へＤＣＮ信号を送信して、正常終了を通知するために確認通知処理に移行する。
ステップＳ１９
ファクシミリ装置１１１へ付加情報付きＭＣＦ信号を送信する。
ステップＳ２０
ファクシミリ装置１１１からＤＣＮ信号を受信後ゲートウェイ装置２２１にＤＣＮ信号を返送してリアルタイム通信を終了する。
【０１４１】
以上で具体例５のゲートウェイ装置（送信側）の制御動作についての説明を終了する。
上記説明中、ステップＳ１８から確認通知処理へ移行する旨説明したが、この確認通知処理は上記具体例４で既に説明済みなので、ここでは、説明を割愛する。
又、ファクシミリ装置１１１が有効期限内に正常終了の確認通知を得られない場合は、他の公衆回線を経由して直接送信することなども可能である。
【０１４２】
〈具体例５の効果〉
以上説明したように、上記具体例４の送信側ファクシミリ装置に、更に、画データの送達許容時刻、即ち有効期限を設定する手段を備え、かつ送信側ゲートウェイ装置に更に確認通知伝達手段を備えることによって、より一層信頼性の高い通信を行うことが可能になる。
【図面の簡単な説明】
【図１】具体例１の通信手順説明図（その１）である。
【図２】具体例１の通信手順説明図（その２）である。
【図３】本発明によるファクシミリ通信システムの全体構成図である。
【図４】ファクシミリ装置の構成を示すブロック図である。
【図５】ゲートウェイ装置の構成を示すブロック図である。
【図６】具体例１のゲートウェイ装置の動作説明図（その１）である。
【図７】具体例１のゲートウェイ装置の動作説明図（その２）である。
【図８】具体例２の通信手順説明図（その１）である。
【図９】具体例２の通信手順説明図（その２）である。
【図１０】具体例２のゲートウェイ装置の動作説明図（その１）である。
【図１１】具体例２のゲートウェイ装置の動作説明図（その２）である。
【図１２】具体例３の通信手順説明図である。
【図１３】具体例３のゲートウェイ装置の動作説明図（その１）である。
【図１４】具体例３のゲートウェイ装置の動作説明図（その２）である。
【図１５】具体例４の通信手順説明図である。
【図１６】付加情報を含んだＤＣＮの構成図である。
【図１７】確認通知を含んだＮＳＳの構成図である。
【図１８】具体例４のゲートウェイ装置の動作説明図である。
【図１９】具体例５の有効期限設定手段の追加動作説明図である。
【図２０】具体例５のゲートウェイ装置の動作説明図（その１）である。
【図２１】具体例５のゲートウェイ装置の動作説明図（その２）である。
【符号の説明】
１１１  ファクシミリ装置（送信機）
１２１  ファクシミリ装置（受信機）
２１１  ゲートウェイ装置（送信側）
２２１  ゲートウェイ装置（受信側）
ＤＴ  ダイヤルトーン信号
ＤＩＳ  ディジタル識別信号
ＣＥＤ  被呼端末識別信号
ＤＣＳ  ディジタル命令信号
ＴＣＦ  トレーニングチェック信号
ＣＦＲ  受信準備確認信号
【図１】
0004008632.tif 000002
【図２】
0004008632.tif 000003
【図３】
0004008632.tif 000004
【図４】
0004008632.tif 000005
【図５】
0004008632.tif 000006
【図６】
0004008632.tif 000007
【図７】
0004008632.tif 000008
【図８】
0004008632.tif 000009
【図９】
0004008632.tif 000010
【図１０】
0004008632.tif 000011
【図１１】
0004008632.tif 000012
【図１２】
0004008632.tif 000013
【図１３】
0004008632.tif 000014
【図１４】
0004008632.tif 000015
【図１５】
0004008632.tif 000016
【図１６】
0004008632.tif 000017
【図１７】
0004008632.tif 000018
【図１８】
0004008632.tif 000019
【図１９】
0004008632.tif 000020
【図２０】
0004008632.tif 000021
【図２１】
0004008632.tif 000022